(57)【特許請求の範囲】
【請求項１】
表示画像を表示する表示手段と、
前記表示手段で表示する対象となる入力画像を取得する画像取得手段と、
前記表示手段の表示輝度を制御する表示制御手段と、を有し、
前記入力画像は、ＨＤＲ画像であり、
前記表示制御手段は、
前記入力画像の一部を補間拡大方式を用いて拡大した前記表示画像を前記表示手段に表示させている期間中は、第１表示輝度になるように前記表示画像を表示させ、
前記入力画像の一部を画素拡大方式を用いて拡大した前記表示画像を前記表示手段に表示させている期間中は、前記第１表示輝度よりも低い第２表示輝度になるように前記表示画像を表示させ、
前記補間拡大方式は、前記入力画像を拡大するために生成する補間画素を、前記補間画素の近傍の一以上の画素に基づいて補間演算して生成する方式であり
前記画素拡大方式は、前記入力画像を拡大するために生成する補間画素を、前記補間画素の近傍の一の画素を複製することにより生成する方式である
ことを特徴とする画像表示装置。
【請求項２】
前記表示制御手段は、前記入力画像を拡大せずに前記表示手段に表示させる場合に、前記第１表示輝度になるように前記表示画像を表示させることを特徴とする、
請求項１に記載の画像表示装置。
【請求項３】
前記表示制御手段は、前記入力画像内の被写体の輪郭を強調して前記表示手段に表示させる場合に、前記第２表示輝度になるように前記表示画像を表示させ、前記輪郭を強調せずに前記表示手段に表示させる場合に、前記第１表示輝度になるように前記表示画像を表示させることを特徴とする、
請求項１又は２に記載の画像表示装置。
【請求項４】
前記表示制御手段は、前記第２表示輝度を、前記第１表示輝度の範囲よりも狭い範囲の表示輝度とすることを特徴とする、
請求項１から３のいずれか１項に記載の画像表示装置。
【請求項５】
外光の強度を検出する検出手段をさらに有し、
前記表示制御手段は、前記検出手段が検出した前記外光の強度に基づいて、前記第２表示輝度の範囲を決定することを特徴とする、
請求項４に記載の画像表示装置。
【請求項６】
前記表示制御手段は、前記入力画像の階調値を変更することにより、前記表示輝度を切り替えることを特徴とする、
請求項１から５のいずれか１項に記載の画像表示装置。
【請求項７】
前記表示手段に光を照射する発光手段をさらに有し、
前記表示制御手段は、前記発光手段の発光輝度を変更することにより、前記表示輝度を切り替えることを特徴とする、
請求項１から５のいずれか１項に記載の画像表示装置。
【請求項８】
前記表示制御手段は、前記発光輝度に基づいて前記入力画像の階調値を変更することにより、前記表示輝度を切り替えることを特徴とする、
請求項７に記載の画像表示装置。
【請求項９】
前記表示制御手段は、前記入力画像に付加された表示輝度情報に基づいて、前記表示手段の表示輝度を決定することを特徴とする、
請求項１から８のいずれか１項に記載の画像表示装置。
【請求項１０】
コンピュータが実行する、
表示画像を表示する表示手段で表示する対象となる入力画像を取得するステップと、
前記表示手段の表示輝度を制御する表示制御ステップと、を有し、
前記入力画像は、ＨＤＲ画像であり、
前記表示制御ステップでは、
前記入力画像の一部を補間拡大方式を用いて拡大した前記表示画像を前記表示手段に表示させている期間中は、第１表示輝度になるように前記表示画像を表示させ、
前記入力画像の一部を画素拡大方式を用いて拡大した前記表示画像を前記表示手段に表示させている期間中は、前記第１表示輝度よりも低い第２表示輝度になるように前記表示画像を表示させ、
前記補間拡大方式は、前記入力画像を拡大するために生成する補間画素を、前記補間画素の近傍の一以上の画素に基づいて補間演算して生成する方式であり
前記画素拡大方式は、前記入力画像を拡大するために生成する補間画素を、前記補間画素の近傍の一の画素を複製することにより生成する方式であることを特徴とする画像表示方法。
【請求項１１】
請求項１０に記載の画像表示方法の各ステップをコンピュータに実行させるためのプログラム。
【発明の詳細な説明】
【技術分野】
【０００１】
本発明は、画像表示装置及び画像表示方法に関するものである。
【背景技術】
【０００２】
従来、画像を表示するモードごとに、バックライトの輝度を制御することができる画像表示装置が知られている。特許文献１には、フォーカスを調整する対象となる領域のバックライトの輝度を、他の領域の輝度よりも高くすることができる画像表示装置が開示されている。
【先行技術文献】
【特許文献】
【０００３】
【特許文献１】特開２００６−３１７５７７号公報
【発明の概要】
【発明が解決しようとする課題】
【０００４】
フォーカスを調整しやすくするために、フォーカス調整をする対象の表示画像を拡大表示する拡大表示モードや、表示画像内の輪郭を強調するためのエッジピーキング画像を重畳して表示するエッジピーキング画像モードを有する画像表示装置が知られている。このような画像表示装置において、表示画像が拡大表示されている状態で、フォーカスを調整する対象となる領域のバックライトの輝度が高くされると、ユーザが眩し過ぎてフォーカス調整をしづらくなるという問題が生じる。また、エッジピーキング画像が表示されている状態で、フォーカスを調整する対象となる領域のバックライトの輝度が高くされると、エッジピーキング画像が見えにくくなるので、フォーカス調整をしづらくなるという問題が生じる。
【０００５】
そこで、本発明は上述した点に鑑みてなされたものであり、画像表示装置に表示された画像のフォーカス調整をしやすくすることを目的とする。
【課題を解決するための手段】
【０００６】
本発明の画像表示装置は、表示画像を表示する表示手段と、前記表示手段で表示する対象となる入力画像を取得する画像取得手段と、前記表示手段の表示輝度を制御する表示制御手段と、を有し、前記入力画像は、ＨＤＲ画像であり、前記表示制御手段は、前記入力画像の一部を補間拡大方式を用いて拡大した前記表示画像を前記表示手段に表示させている期間中は、第１表示輝度になるように前記表示画像を表示させ、前記入力画像の一部を画素拡大方式を用いて拡大した前記表示画像を前記表示手段に表示させている期間中は、前記第１表示輝度よりも低い第２表示輝度になるように前記表示画像を表示させ、前記補間拡大方式は、前記入力画像を拡大するために生成する補間画素を、前記補間画素の近傍の一以上の画素に基づいて補間演算して生成する方式であり前記画素拡大方式は、前記入力画像を拡大するために生成する補間画素を、前記補間画素の近傍の一の画素を複製することにより生成する方式であることを特徴とする。
【０００７】
本発明の画像表示方法は、コンピュータが実行する、表示画像を表示する表示手段で表示する対象となる入力画像を取得するステップと、前記表示手段の表示輝度を制御する表示制御ステップと、を有し、前記入力画像は、ＨＤＲ画像であり、前記表示制御ステップでは、前記入力画像の一部を補間拡大方式を用いて拡大した前記表示画像を前記表示手段に表示させている期間中は、第１表示輝度になるように前記表示画像を表示させ、前記入力画像の一部を画素拡大方式を用いて拡大した前記表示画像を前記表示手段に表示させている期間中は、前記第１表示輝度よりも低い第２表示輝度になるように前記表示画像を表示させ、前記補間拡大方式は、前記入力画像を拡大するために生成する補間画素を、前記補間画素の近傍の一以上の画素に基づいて補間演算して生成する方式であり前記画素拡大方式は、前記入力画像を拡大するために生成する補間画素を、前記補間画素の近傍の一の画素を複製することにより生成する方式であることを特徴とする。
【発明の効果】
【０００８】
本発明によれば、画像表示装置に表示された画像のフォーカス調整をしやすくすることができるという効果を奏する。
【図面の簡単な説明】
【０００９】
【図１】第１の実施形態に係る画像表示装置１００の構成を示す図である。
【図２】バックライト１１２が発光輝度を制御できる領域について説明するための図である。
【図３】各表示モードにおける動作を説明するための入力画像の例を示す図である。
【図４】バックライト発光輝度の決定方法について説明するための図である。
【図５】通常表示モードにおける画像補正について説明するための図である。
【図６】表示輝度の分布を示す図である。
【図７】ＨＤＲ表示モードにおいてバックライト発光輝度を決定する方法について説明するための図である。
【図８】ＨＤＲ補正モードにおける画像補正について説明するための図である。
【図９】ＨＤＲ表示モードでユーザが視覚する表示輝度の分布を示す図である。
【図１０】他のＬＵＴの例を示す図である。
【図１１】リミット処理について説明するための図である。
【図１２】補正ＨＤＲ表示モードにおける補正処理について説明するための図である。
【図１３】補正ＨＤＲ表示モードでユーザが視覚する表示輝度の分布を示す図である。
【図１４】ＨＤＲ補正情報として用いられるＬＵＴの例を示す図である。
【図１５】画像表示装置１００の動作のフローチャートである。
【図１６】第２の実施形態に係る画像表示装置２００の構成を示す図である。
【図１７】エンコード画像の一例を示す図である。
【図１８】エンコード画像から抽出可能な表示輝度情報の他の例を示す図である。
【図１９】画像表示装置２００の処理の流れを示すフローチャートである。
【図２０】第３の実施形態に係る画像表示装置３００の構成を示す図である。
【図２１】第３の実施形態に係る画像表示装置３００の動作の一例を示すフローチャートである。
【図２２】第４の実施形態に係る画像表示装置４００の構成を示す図である。
【図２３】第４の実施形態に係る画像表示装置４００の動作の一例を示すフローチャートである。
【発明を実施するための形態】
【００１０】
［実施の形態の概要］
映画やテレビ番組等の撮影現場では、撮影画像（動画及び静止画を含む）のフォーカス確認作業を容易にするために、撮影者（以下、ユーザという）は、カメラのファインダよりも大きな表示画面を有するディスプレイに撮影画像を表示し、ディスプレイ画面上でフォーカスを確認している。このようなディスプレイには、ユーザのフォーカス確認作業を補助するために、表示画像の一部を拡大表示する機能や表示画像内の被写体の輪郭線を強調するエッジピーキング画像を重畳表示する機能が搭載されている場合がある。
【００１１】
表示画像を拡大する方式には、補間拡大方式及び画素拡大方式等がある。補間拡大方式は、拡大により画素を補間する必要がある際に、隣接する複数の画素データから補間演算して拡大画像を生成する方式である。画素拡大方式は、拡大により画素を補間する必要がある際に、隣接する画素データを複製して拡大画像を生成する方式である。フォーカス調整時に画像を拡大表示させる際には、カメラで撮影している画像とディスプレイに表示される画像との間に差異が生じないようにするために、画素拡大方式が用いられている。
【００１２】
ところで、近年、撮像センサーの広ダイナミックレンジ化や、露出の異なる画像を複数枚重ね合わせる技術の向上により、広ダイナミックレンジ（ＨＤＲ；High Dynamic Range）の画像の撮影が一般化してきている。また、ディスプレイのバックライトの発光輝度制御や画像処理の高度化によって、従来のディスプレイよりもコントラスト比及び発光輝度が高い表示（以下、ＨＤＲ表示という）を行うための技術も提案されている。画像表示装置が、このようなＨＤＲ表示を行うことにより、被写体の明るさをより忠実に表現できるようになるため、従来よりも臨場感のある表示が可能となる。
【００１３】
しかしながら、画像表示装置が、フォーカス確認作業を補助するために表示画像を拡大表示している間は、ユーザが、画素拡大表示した領域の細部を通常の視聴時よりも長時間にわたって注視する可能性が高いので、ＨＤＲ表示により高輝度で表示されてしまうとフォーカス確認が困難になってしまう場合がある。例えば、画素拡大する領域に高輝度（例えば数千ｃｄ／ｍ２以上）の領域が含まれる場合、この領域が高輝度のままで拡大表示されると、ユーザは眩しくてフォーカス確認が困難になってしまう可能性が高い。また、ユーザが、高輝度領域やその近傍を注視することによって、フォーカス確認作業効率が低下してしまう恐れもある。表示画像にエッジピーキング画像が重畳されている場合、エッジピーキング画像以外の領域が高輝度であると、エッジピーキング画像を認識しづらくなるという恐れもある。
【００１４】
また、画素拡大をしている領域に突然明るい被写体が映り込んだ場合、ユーザが注視している領域の発光輝度が急激に高くなることになる。この結果、人間の目の順応が追いつかず、フォーカス確認が困難になる恐れもある。逆に、画素拡大領域が低輝度（例えば１ｃｄ／ｍ２以下）である場合、被写体の輪郭が存在する部分の輝度が低過ぎることによって、フォーカスの確認が困難になる可能性もある。
【００１５】
これらの課題を解決するために、本実施の形態に係る画像表示装置は、表示画像の一部を拡大表示したり、エッジピーキング画像を重畳表示したりする場合に、他の表示状態に比べて表示輝度を低下させることにより、ユーザがフォーカスの確認又は調整の作業をしやすくする。なお、本明細書における表示輝度は、画像を表示した状態においてユーザが視覚する輝度の大きさである。
【００１６】
＜第１の実施形態＞
［画像表示装置１００の構成］
図１は、第１の実施形態に係る画像表示装置１００の構成を示す図である。画像表示装置１００は、画像取得部１０１、情報取得部１０２、拡大処理部１０３、画像処理部１０４、表示制御部１０５、表示部１１１、バックライト１１２及び記憶部１１３を備える。表示制御部１０５は、特徴量取得部１０６、ＨＤＲ補正部１０７、発光輝度制御部１０８、画像補正部１０９及びバックライト制御部１１０を有する。
【００１７】
画像取得部１０１は、表示部１１１に表示する対象となる入力画像データを取得し、取得した入力画像データを拡大処理部１０３に出力する。画像取得部１０１は、入力画像データを画像表示装置１００に接続されたカメラ等の電子機器から取得してもよいし、記憶部１１３から取得してもよい。
【００１８】
情報取得部１０２は、例えば、リモコン、タッチパネル、カーソル等のユーザインタフェースを介して、ユーザからの指示情報を取得する。本実施形態の情報取得部１０２は、例えば、表示部１１１に表示する画像を拡大するモードに設定するための拡大モード指示情報を取得する。拡大モード指示情報には、拡大モードの種別（例えば、補間拡大モードと画素拡大モード）を示す情報も含まれている。情報取得部１０２は、拡大モード指示情報を拡大モード制御情報に変換して、拡大モード制御情報を拡大処理部１０３及びＨＤＲ補正部１０７に出力する。
【００１９】
情報取得部１０２は、ユーザインタフェース以外の手段により指示情報を取得してもよい。例えば、情報取得部１０２は、拡大モードを指定するメタデータが入力画像データに付加されている場合、メタデータを拡大モード指示情報として取得して拡大モード制御情報を生成することができる。
【００２０】
また、情報取得部１０２は、表示部１１１に画像を表示するモードを選択するための表示モード指示情報を取得する。情報取得部１０２は、表示モード指示情報を表示モード制御情報に変換して、表示モード制御情報を発光輝度制御部１０８に出力する。表示モードには、通常表示モードとＨＤＲ表示モードとがある。ＨＤＲ表示モードは、通常表示モードに対して、最大発光輝度が高いか、最低発光輝度が低いか、コントラスト比が大きいかの、いずれかの表示を行うモードである。ここで、発光輝度は、バックライト１１２の発光輝度であり、バックライト発光輝度と称することがある。
【００２１】
拡大処理部１０３は、拡大モード制御情報に基づいて、画像取得部１０１から入力された入力画像データを拡大処理して、拡大後の拡大画像データを画像処理部１０４に出力する。拡大モード制御情報が入力されていない場合、拡大処理部１０３は、入力画像データを等倍で画像処理部１０４に出力する。
【００２２】
拡大処理部１０３は、拡大モード制御情報に含まれる拡大モードの種別を示す情報に基づいて、補間拡大処理又は画素拡大処理を実行する。なお、拡大処理部１０３は、拡大画像データのみを出力するだけでなく、入力画像データに拡大画像データを重畳した混在画像データを生成して出力したり、拡大画像データ及び入力画像データのそれぞれを出力したりしてもよい。
【００２３】
画像処理部１０４は、拡大処理部１０３から入力される画像データに画像処理を施す。画像処理は、例えば、色変換処理、階調変換処理又はフレームレート変換処理である。なお、拡大処理部１０３の処理と画像処理部１０４の処理の順序は任意である。例えば、画像取得部１０１が出力した画像データに対して画像処理部１０４が画像処理を施し、拡大処理部１０３が、画像処理部１０４が画像処理を施した後の画像データを拡大してもよい。
【００２４】
続いて、表示制御部１０５について説明する。表示制御部１０５は、入力画像を拡大した表示画像を表示部１１１に表示させる場合に、表示部１１１の表示輝度を低くする。表示制御部１０５は、例えば、情報取得部１０２が拡大情報を取得したか否かに基づいて、表示部１１１に表示画像を表示させた状態での表示部１１１の表示輝度を切り替える。具体的には、表示制御部１０５は、入力画像を拡大せずに表示部１１１に表示させる場合に、第１表示輝度になるように表示画像を表示させ、拡大情報に基づいて入力画像を拡大して表示部１１１に表示させる場合に、第１表示輝度よりも低い第２表示輝度になるように表示画像を表示させる。
【００２５】
ここで、表示制御部１０５は、拡大モードによって表示輝度を切り替えてもよい。例えば、表示制御部１０５は、補間拡大モードの指示（第１拡大モード指示）を受けた場合に第１表示輝度になるように表示画像を表示させ、画素拡大モードの指示（第２拡大モード指示）を受けた場合に、第２表示輝度になるように表示画像を表示させる。
【００２６】
表示制御部１０５は、入力画像の階調値を変更することにより表示輝度を切り替えたり、バックライト１１２の発光輝度を変更することにより表示輝度を切り替えたりすることができる。また、表示制御部１０５は、入力画像の階調値を変更するとともに、バックライト１１２の発光輝度を変更してもよい。例えば、表示制御部１０５は、発光輝度に基づいて入力画像の階調値を変更することにより、表示輝度を切り替えることができる。
【００２７】
表示制御部１０５は、例えばＣＰＵ（Central Processing Unit）が記憶部１１３に記憶されたプログラムを実行することにより、特徴量取得部１０６、ＨＤＲ補正部１０７、発光輝度制御部１０８、画像補正部１０９及びバックライト制御部１１０として機能する。
【００２８】
特徴量取得部１０６は、画像処理部１０４が出力する画像データの特徴量を取得する。特徴量は、画像処理後の画像の特徴を表すデータであり、例えば、階調ヒストグラム、全画面平均階調、局所平均階調、最大階調、又は最小階調である。
【００２９】
ＨＤＲ補正部１０７は、情報取得部１０２から入力される拡大モード制御情報を受信し、拡大モードが画素拡大モードである場合に、発光輝度制御部１０８がバックライト制御部１１０に対して出力する発光輝度制御値を補正するための補正情報を生成して出力する。ＨＤＲ補正部１０７が発光輝度制御値を補正する方法の詳細については後述する。
【００３０】
発光輝度制御部１０８は、情報取得部１０２から入力される表示モード制御情報、及び特徴量取得部１０６から入力される画像データの特徴量に基づいて、表示画像を補正するための補正パラメータ、及びバックライト１１２を発光させるためのバックライト制御パラメータを決定する。そして、発光輝度制御部１０８は、これらのパラメータを画像補正部１０９とバックライト制御部１１０それぞれに出力する。発光輝度制御部１０８が画像補正パラメータ及びバックライト制御パラメータを算出する方法については後述する。
【００３１】
画像補正部１０９は、発光輝度制御部１０８から入力された補正パラメータに基づいて、画像処理部１０４から入力された画像データを補正し、補正後の表示画像データを表示部１１１に出力する。
バックライト制御部１１０は入力されたバックライト制御パラメータに応じた輝度でバックライト発光させるための発光制御値（例えばＰＷＭ（Pulse Width Modulation）値）を算出し、算出した発光制御値をバックライト１１２に出力する。
【００３２】
表示部１１１は、例えば液晶パネルであり、画像補正部１０９から入力された表示画像データに基づく表示画像を表示する。
バックライト１１２は、ＬＥＤ等の発光素子から構成された発光体であり、バックライト制御部１１０が算出した発光制御値に基づいて、表示部１１１の背面又は側面から光を照射する。図２は、バックライト１１２が発光輝度を制御できる領域について説明するための図である。図２に示すように、バックライト１１２は、６個の分割領域２１０〜２１５ごとに、それぞれ独立して発光輝度を制御できる。
【００３３】
［画像表示装置１００の動作］
続いて、画像表示装置１００の動作について説明する。
画像表示装置１００は、上述した通り、表示モードとして通常表示モードとＨＤＲ表示モードを備えている。また、拡大処理モードとして補間拡大処理モードと画素拡大処理モードを備えている。
【００３４】
画像表示装置１００は、補間拡大モードで画像を表示する場合は、通常表示モードが指定されていれば「通常表示モード」で、ＨＤＲ表示モードが指定されていれば「ＨＤＲ表示モード」で表示を行う。一方、画素拡大モードで画像を表示する場合は、フォーカス確認に適した表示とするために、補間拡大モードの場合と異なる表示を行う。具体的には、画像表示装置１００は、画素拡大モードにおいて通常表示モードが指定されていれば「通常表示モード」で表示を行うが、ＨＤＲ表示モードが指定されていれば、ＨＤＲ補正部１０７が出力する発光輝度制御値に基づいてＨＤＲ表示形態を補正した、「補正ＨＤＲ表示モード」で画像を表示する。
【００３５】
以下に、「通常表示モード」、「ＨＤＲ表示モード」、「補正ＨＤＲ表示モード」のそれぞれにおけるＨＤＲ補正部１０７及び発光輝度制御部１０８の動作について、具体的な例を示しながら説明する。
図３は、各表示モードにおける動作を説明するための入力画像の例を示す図である。図３における入力画像３０は、画像表示装置１００に入力される映像に含まれる一つのフレームの画像である。拡大画像３１は、拡大処理部１０３が、図３における破線で囲まれた領域Ｒを拡大した画像である。
【００３６】
拡大画像３１の画像輝度の階調値（以下、画像階調値という）の範囲は１〜２５６（８ビット階調相当）であり、拡大画像３１には低階調領域３０３（画像階調値＝１）、中階調領域３０４（画像階調値＝６４）、高階調領域３０５（画像階調値＝２５６）が存在するものとする。なお、拡大画像３１内の破線は、バックライト１１２の分割領域２１０〜２１５の境界線を示しており、分割領域２１０〜２１５に対応する分割画像をそれぞれ分割画像３１０〜３１５としている。ここでは、分割画像３１０、３１１、３１４、３１５の平均階調値が６４、分割画像３１２の平均階調値が２５０、分割画像３１３の平均階調値が１０であるとして説明する。
【００３７】
（通常表示モード）
まず、画像表示装置１００が、拡大画像３１を「通常表示モード」で表示する場合のＨＤＲ補正部１０７及び発光輝度制御部１０８の動作について説明する。
通常表示モードの場合、発光輝度制御部１０８は、入力画像の画像階調値と、予め登録されたルックアップテーブル（以下、ＬＵＴ）とに基づいて、バックライト発光輝度を決定する。ＬＵＴにおいては、分割画像の画像階調値の平均値（以下、平均階調値）と発光輝度値とが関連付けられている。発光輝度制御部１０８は、決定したバックライト発光輝度でバックライト１１２を発光させるためのバックライト制御パラメータをバックライト制御部１１０に出力する。
【００３８】
図４は、バックライト発光輝度の決定方法について説明するための図である。図４（ａ）は、通常表示モードにおけるバックライト発光輝度を決定する際に用いられるＬＵＴの一例である。図４（ａ）の横軸は、入力画像の平均階調値、縦軸は発光輝度値である。発光輝度制御部１０８は、図４（ａ）に示すＬＵＴを参照し、分割画像３１０〜３１５の平均階調値に基づいて、バックライト１１２の分割領域２１０〜２１５の発光輝度値を決定する。図４（ａ）に示すＬＵＴにおいては、入力画像の平均階調値によらず、発光輝度値が一定の値に設定されている。
【００３９】
図４（ｂ）は、発光輝度制御部１０８が、図４（ａ）に示したＬＵＴに基づいて分割領域それぞれのバックライト発光輝度を決定した結果を示す。図４（ｂ）に示す通り、通常表示モードでは、発光輝度制御部１０８は、分割画像３１０〜３１５の平均階調値によらず、バックライト１１２の全面にわたって一定の発光輝度（ここでは１００ｃｄ／ｍ２）でバックライト１１２を発光させる。
【００４０】
発光輝度制御部１０８は、さらに、バックライト発光輝度に対応して入力画像を補正するための画像補正パラメータを決定し、決定した画像補正パラメータを画像補正部１０９に出力する。画像補正パラメータは、入力画像の階調値（以下、入力階調値という）と補正後の画像の階調値（以下、補正階調値という）との関係を示す情報である。
【００４１】
図５は、通常表示モードにおける画像補正について説明するための図である。図５（ａ）は、通常表示モードで使用される画像補正パラメータの例を示す図である。図５（ａ）に示す画像補正パラメータにおいては、入力階調値と補正階調値とが等しくなっている。通常表示モードではバックライト発光輝度が画像の階調によらず一定なので、画像補正部１０９は、図５（ａ）に示す画像補正パラメータを用いることにより、入力画像をバックライト発光輝度に対応して補正しない。なお、画像補正パラメータの形式は図５（ａ）のようなテーブル形式に限定されず、入力画像を引数とした計算式等であってもよい。
【００４２】
図５（ｂ）は、画像補正部１０９が、図５（ａ）に示す画像補正パラメータを使用して入力画像を補正した結果である補正画像５００を示している。図５（ｂ）に示す通り、補正画像５００は、図３に示した拡大画像３１と同じ階調分布となっている。
【００４３】
なお、バックライト発光輝度が図４（ｂ）に示した発光輝度値の状態で、図５（ｂ）の補正画像５００が表示された場合にユーザが視覚する表示輝度は、表示部１１１の表面における輝度である。表示輝度は、バックライト１１２の光が表示部１１１に表示される画像の階調値に応じた透過率で透過することによって決まる。したがって、表示輝度は、以下の式によって表される。
表示輝度＝（補正画像の階調値／補正画像の最大階調値）×バックライト発光輝度
【００４４】
図６は、図４（ｂ）のバックライト発光輝度の分布及び図５（ｂ）の画像階調値の分布に基づいて算出される表示輝度の分布を示す図である。図６に示す通り、低階調領域３０３の表示輝度は０．３９ｃｄ／ｍ２、中階調領域３０４の表示輝度は２５ｃｄ／ｍ２、高階調領域３０５の表示輝度は１００ｃｄ／ｍ２となり、コントラスト比は２５６：１である。
【００４５】
なお、通常表示モードにおいて、発光輝度制御部１０８は、ＨＤＲ補正部１０７から入力される補正情報を用いない。通常表示モードでは、ＨＤＲ補正部１０７が補正情報を生成しないようにしてもよい。
【００４６】
（ＨＤＲ表示モード）
次に、画像表示装置１００が拡大画像３１を「ＨＤＲ表示モード」で表示する場合のＨＤＲ補正部１０７及び発光輝度制御部１０８の動作について説明する。発光輝度制御部１０８は、「ＨＤＲ表示モード」においても、「通常表示モード」の場合と同様に、入力画像の画像階調値及び予め登録されたＬＵＴに基づいてバックライト発光輝度を決定する。
【００４７】
図７は、ＨＤＲ表示モードにおいてバックライト発光輝度を決定する方法について説明するための図である。図７（ａ）は、発光輝度制御部１０８がＨＤＲ表示モードにおいてバックライト発光輝度を決定する際に参照するＬＵＴの一例である。図７（ａ）に示すＬＵＴは、入力画像の平均階調値が所定値以上の分割領域のバックライト発光輝度を、通常よりも高い発光輝度（ここでは５０００ｃｄ／ｍ２）とするためのＬＵＴである。
【００４８】
図７（ｂ）は、発光輝度制御部１０８が、図７（ａ）に示すＬＵＴに基づいて分割領域それぞれのバックライト発光輝度を決定した結果を示す図である。図７（ｂ）に示す通り、ＨＤＲ表示モードでは、平均階調値が１０または６４である分割領域２１０〜２１１及び分割領域２１３〜２１５は通常のバックライト発光輝度である１００ｃｄ／ｍ２でバックライト１１２を発光させる。一方、発光輝度制御部１０８は、平均階調値が２５０である分割領域２１２においては、通常の５０倍のバックライト発光輝度である５０００ｃｄ／ｍ２でバックライトを発光させる。このようにすることで、画像表示装置１００は、画像輝度値が大きく明るい画像に対応する表示輝度を大きくすることができるので、コントラストが高い画像をユーザに視覚させることができる。
【００４９】
さらに、発光輝度制御部１０８は、バックライト発光輝度に対応して入力画像の画像階調値を補正するための画像補正パラメータを決定して、決定した画像補正パラメータを画像補正部１０９に出力する。ＨＤＲ表示モードでは、分割領域２１０〜２１１、２１３〜２１５においては、バックライト１１２が通常のバックライト発光輝度で発光するので、画像表示装置１００は、分割画像３１０〜３１１、３１３〜３１５の画像階調値を補正しない。すなわち、画像補正部１０９は、図５（ａ）に示した補正パラメータを使用して、分割画像３１０〜３１１、３１３〜３１５に含まれる画像を補正しない。
【００５０】
一方、分割領域２１２のバックライト発光輝度は通常の５０倍であるため、画像補正部１０９は、分割画像３１２に対しては、通常の５０倍のバックライト発光輝度に対応する補正処理を実施する。
図８は、ＨＤＲ補正モードにおける画像補正について説明するための図である。図８（ａ）は、画像補正部１０９が分割領域２１２に対して使用する、図７（ａ）のＬＵＴに対応する補正パラメータを示す図である。
【００５１】
画像補正部１０９は、図８（ａ）に示す、中階調及び低階調の画素の階調値が入力画像の画像階調値よりも小さくなる補正パラメータを用いることで、中階調及び低階調の画素に対応する表示輝度が大きくならないように補正することができる。そして、画像補正部１０９は、バックライト発光強度が５０倍に設定された分割画像３１２に存在する、入力画像の画像階調値が大きい高階調の画素の階調値を、バックライト発光輝度に合わせて選択的に大きくすることにより、表示輝度を大きくできるようにする。
なお、画像補正部１０９は、予め実験によって取得された、バックライト発光輝度ごとに適した階調分布に基づいて、バックライト発光輝度ごとに適切に階調分布を調整するための補正処理を実施してもよい。
【００５２】
図８（ｂ）は、画像補正部１０９が、図８（ａ）の画像補正パラメータを使用して入力画像３０を補正した結果を補正画像８００として示す図である。図８（ｂ）に示す通り、分割画像３１２に含まれる領域のうち、階調値が２５６である高階調領域３０５は階調値２５６で出力され、分割画像３１２のうち階調値が６４である中階調領域３０４（斜線領域）は階調値が１／５０倍に補正されて出力される。
【００５３】
図９は、表示部１１１がＨＤＲ表示モードで拡大画像３１を表示した場合にユーザが視覚する表示輝度の分布を示す図である。図９に示す通り、低階調領域３０３の表示輝度は０．３９ｃｄ／ｍ２、中階調領域３０４の表示輝度は２５ｃｄ／ｍ２、高階調領域３０５の表示輝度は５０００ｃｄ／ｍ２であり、コントラスト比は１２８００：１となり、通常表示モードよりもコントラスト比が大きくなる。
【００５４】
このように、ＨＤＲ表示モードを使用するとコントラスト比を大きくすることができるので、例えば高階調領域３０５に、空や晴天のような画像階調値が大きい被写体の画像を含んでいる場合に、より臨場感の高い表現が可能になることがある。
【００５５】
なお、図７（ａ）に示したＬＵＴにおける通常発光輝度から高発光輝度に切り替える階調値の閾値や、高発光輝度にする場合の発光輝度値は、任意に調整可能である。また、ＨＤＲ表示モード用のＬＵＴは、図７（ａ）で示した内容には限定されない。
図１０は、他のＬＵＴの例を示す図である。ＨＤＲ表示モードにおけるＬＵＴは、例えば、図１０（ａ）に示すようにバックライト１１２の全面にわたって通常の５０倍の発光輝度（ここでは５０００ｃｄ／ｍ２）でバックライト１１２を発光させるためのＬＵＴであってもよい。また、図１０（ｂ）のように、入力画像の平均階調値が所定値以下の分割領域のバックライト発光輝度を、通常よりも低い発光輝度（ここでは５０ｃｄ／ｍ２）とするためのＬＵＴであってもよい。
【００５６】
なお、ＨＤＲ表示モードにおいても、発光輝度制御部１０８は、ＨＤＲ補正部１０７から入力される補正情報を用いない。また、ＨＤＲ表示モードにおいても、通常表示モードと同様に、ＨＤＲ補正部１０７が補正情報を生成しないようにしてもよい。
【００５７】
（補正ＨＤＲ表示モード）
続いて、画像表示装置１００が拡大画像３１を「補正ＨＤＲ表示モード」で表示する場合のＨＤＲ補正部１０７及び発光輝度制御部１０８の動作について説明する。
ＨＤＲ補正部１０７は、情報取得部１０２から入力される拡大モード制御情報を受信し、表示モードが画素拡大モードであれば、発光輝度制御部１０８の制御方法を切り替えるためのＨＤＲ補正情報を出力する。ＨＤＲ補正部１０７は、例えば、バックライト発光輝度値の上限値と下限値を示すＨＤＲ補正情報を送信する。なお、上限値及び下限値は、画素拡大表示時にフォーカス確認が困難になるバックライト発光輝度の閾値を予め実験的に測定することで決定された値である。本実施形態では、一例として上限値を５００ｃｄ／ｍ２、下限値を５０ｃｄ／ｍ２とする。
【００５８】
発光輝度制御部１０８は、上限値及び下限値を示すＨＤＲ補正情報を受信すると、図７（ａ）で示したＬＵＴを、ＨＤＲ補正情報が示す上限値及び下限値を用いて補正する。具体的には、図７（ａ）におけるＬＵＴにおけるバックライト発光輝度の最大値は５０００ｃｄ／ｍ２であったが、発光輝度制御部１０８は、バックライト発光輝度の最大値を上限値５００ｃｄ／ｍ２とするリミット処理を実行する。具体的には、発光輝度制御部１０８は、５００ｃｄ／ｍ２を超える発光輝度値を全て５００ｃｄ／ｍ２に置換する。
【００５９】
図１１は、リミット処理について説明するための図である。図１１（ａ）は、発光輝度制御部１０８がリミット処理することにより得られたＬＵＴを示す図である。図１１（ｂ）は、発光輝度制御部１０８が、図１１（ａ）に示すＬＵＴに基づいてバックライト発光輝度を決定した結果を示す図である。図１１（ｂ）に示すように、バックライト発光輝度は、平均階調値が１０又は６４である分割領域２１０〜２１１、２１３〜２１５において、通常のバックライト発光輝度である１００ｃｄ／ｍ２、平均階調値が２５０である分割領域２１２において、通常の５倍のバックライト発光輝度である５００ｃｄ／ｍ２となる。
【００６０】
また、発光輝度制御部１０８は、バックライト発光輝度に対応して入力画像を補正するための画像補正パラメータを決定して、決定した画像補正パラメータを画像補正部１０９に出力する。画像補正部１０９は、分割領域２１０〜２１１、２１３〜２１５は通常のバックライト発光輝度で発光をしているため、分割画像３１０〜３１１、及び分割画像３１３〜３１５を補正せず、図５（ａ）に示したような補正パラメータを使用する。一方、画像補正部１０９は、分割領域２１２は通常の５倍のバックライト発光輝度であるため、分割画像３１２にはバックライト発光輝度に対応した補正処理を実施する。
【００６１】
図１２は、補正ＨＤＲ表示モードにおける補正処理について説明するための図である。図１２（ａ）は、図１１（ａ）のＬＵＴに対応した補正パラメータを示す図である。図１２（ｂ）は、画像補正部１０９が、図１２（ａ）に示す補正パラメータに基づいて画像階調値を補正した結果である補正画像１２００を示す図である。図１２（ｂ）に示すように、分割画像３１２のうち階調値が２５６である高階調領域３０５は階調値２５６のままで出力され、分割画像３１２のうち階調値が６４である中階調領域３０４（斜線領域）は階調値が１／５倍に補正されて出力される。
【００６２】
図１３は、表示部１１１が補正ＨＤＲ表示モードで拡大画像３１を表示した場合にユーザが視覚する表示輝度の分布を示す図である。図１３に示す通り、高階調領域３０５の表示輝度は、ＨＤＲ補正部１０７による補正処理を行わない場合に比べて１／１０倍である５００ｃｄ／ｍ２に制限され、コントラスト比も１／１０倍である１２８０：１に制限される。
【００６３】
このように、表示制御部１０５は、バックライト発光輝度の上限値及び下限値を設けることにより、補正ＨＤＲ表示モードで拡大画像３１を表示する場合に用いられる第２表示輝度を、ＨＤＲ表示モードで用いられる第１表示輝度の範囲よりも狭い範囲の表示輝度とすることができる。そして、表示制御部１０５は、表示画像のうち、入力画像を拡大した画像が含まれる領域の表示輝度が他の領域の表示輝度よりも小さい輝度（第２表示輝度）になるように表示画像を表示させることができる。その結果、画素拡大画像が高輝度のまま拡大表示されることにより、眩しくてフォーカス確認が困難になってしまう可能性を低減することが可能となる。また、ユーザが該高輝度領域やその近傍を注視することによってフォーカス確認作業効率が低下してしまう可能性も低減することが可能となる。
【００６４】
なお、以上の説明では、発光輝度の上限値によって最高発光輝度を抑える例について説明したが、同様に発光輝度の下限値によって最低発光輝度を高めることもできる。この結果、画素拡大領域の発光輝度が低すぎるために、フォーカス確認が困難になることを防ぐことも可能となる。
【００６５】
また、ＨＤＲ補正部１０７が出力するＨＤＲ補正情報は、バックライト発光輝度値の上限値と下限値以外の情報であってもよい。例えば、ＨＤＲ補正情報は、予め実験によって測定された、画素拡大表示に適した発光輝度を示すＬＵＴであってもよい。
図１４は、ＨＤＲ補正情報として用いられるＬＵＴの例を示す図である。図１４においては、発光輝度の範囲が２００ｃｄ／ｍ２から３００ｃｄ／ｍ２の範囲が画素拡大に適している場合のＬＵＴの例を示している。図１４（ａ）は、平均階調によらず画素拡大に適している発光輝度範囲の中心値でバックライトを発光させるためのＬＵＴを示している。また、図１４（ｂ）及び図１４（ｃ）は、画素拡大に適している範囲の中で、平均階調に基づいてバックライト発光輝度を調整するためのＬＵＴである。
【００６６】
この場合、ＨＤＲ補正部１０７は、画素拡大表示中は図１４に示すようなＬＵＴを発光輝度制御部１０８に出力し、発光輝度制御部１０８はＬＵＴに基づいてバックライト発光輝度を決定する。この結果、画素拡大に適した発光輝度範囲で表示が行われるため、ユーザが眩しくてフォーカス確認が困難になってしまったり、フォーカス確認効率が低下してしまったりする可能性を低減することが可能となる。
【００６７】
また、ＨＤＲ補正部１０７は、ＨＤＲ補正情報として、ＨＤＲ表示モードを解除して通常表示モードに戻すための制御情報を出力するようにしてもよい。この場合、高階調領域３０５のバックライト発光輝度は、図５に示すように通常表示モードにおける発光輝度である１００ｃｄ／ｍ２となるため、ＨＤＲ表示モードにおける発光輝度の１／５０倍に制限することができる。この場合にも、ユーザが眩しくてフォーカス確認が困難になってしまったり、フォーカス確認効率が低下してしまったりする可能性を低減することが可能となる。
【００６８】
また、ＨＤＲ補正部１０７は、外光の強度を検出する検出手段としての外部センサーからの入力信号に応じてＨＤＲ補正情報を切り替えるようにしてもよい。例えば、暗い環境で明るい画面を注視する場合と、明るい環境で明るい画面を注視する場合とで、ユーザが感じるまぶしさが異なることを考慮して、ＨＤＲ補正部１０７は、光センサーにより検出された周囲の明るさに基づいてＨＤＲ補正情報を切り替えてもよい。具体的には、ＨＤＲ補正部１０７は、画像表示装置１００が設置されている場所の環境光を光センサーで取得し、画像表示装置１００が設置されている場所が明るい場合にはバックライト発光輝度値の上限値を大きく設定し、逆に暗い場合には上限値を小さく設定する。このように、表示制御部１０５は、検出手段としての光センサーが検出した外光の強度に基づいて、第２表示輝度の範囲を決定することで、周囲の明るさに適した表示輝度に調整することができる。
【００６９】
また、ＨＤＲ補正部１０７は、ＨＤＲ補正情報として、画像データの平均階調値の変化に応じてバックライト発光輝度を変更する際の時定数を変更するための制御情報をさらに出力してもよい。ＨＤＲ補正部１０７は、例えば、ＬＵＴから算出したバックライト発光補正値を即座に適用せず、算出したバックライト発光輝度値をローパスフィルタ処理してから適用するためのフィルタ係数を出力する。これにより、表示制御手段としてのＨＤＲ補正部１０７は、入力画像の画像輝度が変化した場合に、画像輝度が変化する速度よりも遅い速度で表示輝度を変化させることができる。このようにすることで、画素拡大をしている領域に突然明るい被写体が映り込んだ場合であっても、ユーザが注視している領域の発光輝度が急激に高くなることを防ぐことが可能となる。この結果、ユーザの目の順応が追いつかずフォーカス確認が困難になったり、フォーカス確認効率が低下してしまったりする可能性を低減することが可能となる。
【００７０】
また、ＨＤＲ補正部１０７は、画像データの平均階調値の変化に応じて表示輝度を変更する頻度が、所定の頻度よりも小さくなるようにしてもよい。例えば、ＨＤＲ補正部１０７は、バックライト発光輝度を変更してから所定の時間が経過するまでの間に平均階調値が変化しても、バックライト発光輝度を変更しないようにしてもよい。このようにすることで、バックライト１１２の輝度が頻繁に変化することにより、ユーザが疲労することを防止できる。
【００７１】
なお、画像表示装置１００は、ＨＤＲ補正情報に基づいて実施されるＨＤＲ補正処理は、画面全体に適用しなくてもよい。例えば、画像表示装置１００は、拡大前の画像の上に拡大画像を重畳して表示を行うような場合、ユーザが注視する領域は画素拡大領域であることを考慮し、画素拡大領域のみにＨＤＲ補正処理を適用してもよい。この場合、ＨＤＲ補正部１０７は、拡大処理部１０３などから、画素拡大画像が重畳表示されている座標情報を取得し、ＨＤＲ補正情報と共に座標情報を出力する。そして、発光輝度制御部１０８は、ＨＤＲ補正部１０７から入力された座標情報を参照し、画素拡大画像が表示される領域に対してはＨＤＲ補正されたパラメータを算出し、画素拡大画像が表示されていない領域に対しては従来通りのＨＤＲパラメータを算出する。
【００７２】
また、本実施形態では、発光輝度制御部１０８は、バックライト発光輝度及び入力画像の補正パラメータを変更することでＨＤＲ表示時の表示輝度を制御していたが、バックライト発光輝度、又は入力画像の補正パラメータのいずれか一方を変更することで表示輝度を制御するようにしてもよい。なお、発光輝度制御部１０８がバックライト発光輝度のみを変更して表示輝度を制御する場合は、バックライト発光輝度が画素単位、あるいは、画素単位と同等の粒度で独立して制御できると、ユーザに違和感を与えることなくＨＤＲ表示が可能となる。
【００７３】
［画像表示装置１００の動作のフローチャート］
図１５は、画像表示装置１００の動作のフローチャートである。
まず、特徴量取得部１０６は、画像取得部１０１から入力され、拡大処理及び画像処理がなされた画像データの特徴量を取得する（Ｓ１０１）。次に、表示モードが通常表示モードである場合（Ｓ１０２でＮＯ）、発光輝度制御部１０８は、通常表示モード用のＬＵＴを使用してバックライト発光輝度及び画像データ補正パラメータを生成する（Ｓ１０３）。
【００７４】
一方、表示モードがＨＤＲ表示モードである場合（Ｓ１０２でＹＥＳ）は、画素拡大表示中であるか否かに応じて処理を切り替える（Ｓ１０４）。まず、画素拡大処理を実施していない場合（Ｓ１０４でＮＯ）、発光輝度制御部１０８は、ＨＤＲ表示モード用のＬＵＴを使用して、バックライト発光輝度及び画像データ補正パラメータ（補正なしＨＤＲパラメータ）を生成する（Ｓ１０５）。一方、画素拡大処理を実施している場合（Ｓ１０４でＹＥＳ）、ＨＤＲ補正部１０７は、発光輝度制御部１０８に対してＨＤＲ補正情報を出力する。そして、発光輝度制御部１０８は、ＨＤＲ補正情報及びＬＵＴに基づいて、バックライト発光輝度及び画像データ補正パラメータ（補正ありＨＤＲパラメータ）を生成する（Ｓ１０６）。
【００７５】
次に、画像補正部１０９は、入力された補正パラメータに基づいて入力画像を補正し、バックライト制御部１１０は入力されたパラメータに応じたバックライト発光制御値を出力する（Ｓ１０７）。最後に、表示部１１１が、補正された画像を表示し、バックライト１１２がバックライト発光制御値に基づいて発光する（Ｓ１０８）。
【００７６】
［変形例１］
以上では、拡大処理部１０３によって画素拡大した画像に対してＨＤＲ補正を行う例について説明したが、外部機器によって画素拡大された画像に対してＨＤＲ補正を行うこともできる。この場合、まず、画像取得部１０１が、入力画像を解析して、近傍の画素を複製することにより生成させた補間画素が含まれる画素拡大画像であるか否かを判定する判定手段として機能する。そして、情報取得部１０２は、判定手段としての画像取得部１０１が入力画像に補間画素が含まれると判定した結果を拡大情報として取得する。
【００７７】
具体的には、画像取得部１０１は、入力画像の全画素の階調値を解析し、各画素の階調値が隣接する画素の階調値と同一であるか否かを判定し、同一であれば、入力画像が画素拡大画像であると判定する。そして、画像取得部１０１が、入力画像が画素拡大画像であると判定した場合、ＨＤＲ補正部１０７が、発光輝度制御部１０８の制御方法を切り替えるためのＨＤＲ補正情報を出力し、ＨＤＲ補正を実施する。なお、画像表示装置１００は、入力画像の一部の領域においてのみ、隣接する画素の階調が同一となっている場合は、当該領域のみにＨＤＲ補正を実施するとしてもよい。
【００７８】
［変形例２］
上記の説明では、情報取得部１０２が取得したユーザからの指示に基づいて表示モードを切り替えたが、画像表示装置１００は、他の手段により表示モードを切り替えてもよい。例えば、画像表示装置１００は、特徴量取得部１０６が取得した特徴量に応じて、自動的に表示モード切り替えてもよい。この場合、例えば、特徴量取得部１０６が取得した入力画像のヒストグラムが、入力画像の階調値の分散が所定値よりも大きいことを示している場合、画像表示装置１００は、自動的にＨＤＲ表示モードに移行する。画像表示装置１００は、表示モードを指定するための情報がメタデータとして画像データに付加されているような場合であれば、メタデータ抽出部（不図示）がメタデータを抽出し、抽出結果に基づいて自動的に表示モードを切り替えてもよい。
【００７９】
以上説明したように、本実施形態の画像表示装置１００は、通常表示時及び補間拡大時と画素拡大時とにおいて、ＨＤＲ表示形態を切り替えることができる。この結果、画像表示装置１００は、ＨＤＲ表示をしながら画素拡大表示する際に、ユーザが注視することが困難な発光輝度やエッジ確認が困難な発光輝度で画素拡大表示されることを防ぎ、ＨＤＲ表示中のフォーカス確認作業の利便性を向上させることが可能となる。
【００８０】
＜第２の実施形態＞
図１６は、第２の実施形態に係る画像表示装置２００の構成を示す図である。図１６に示すように、画像表示装置２００は、図１に示す機能部の他にデコード部２０１をさらに有する。なお、図１６において、図１に示した第１の実施形態の画像表示装置１００と同じ機能部には図１と同じ符号を付し、その説明は省略する。
【００８１】
本実施形態において、画像取得部１０１は、画像表示時の表示輝度に関する情報（以下、表示輝度情報という）がメタデータとして付加されている画像データ（以下、エンコード画像という）を受信し、デコード部２０１に出力する。そして、表示制御部１０５は、表示輝度情報に基づいて表示部１１１の輝度を決定する。表示制御部１０５は、例えば、情報取得部１０２が拡大情報を取得していない場合に、表示輝度情報に基づいて、表示部１１１の表示輝度を決定し、情報取得部１０２が拡大情報を取得した場合に、表示輝度情報に基づかないで、表示部１１１の表示輝度を決定する。なお、当該メタデータは、例えば、画像の撮影者や編集者の意図を反映するために、撮影者や編集者が付加したデータである。エンコード画像の詳細については後述する。
【００８２】
デコード部２０１は、画像取得部１０１から入力されるエンコード画像をデコードし、デコードした画像データを拡大処理部１０３に出力し、表示輝度情報を発光輝度制御部１０８に出力する。
情報取得部１０２は、リモコン、タッチパネル、カーソル等を介してユーザからの表示モード指示情報を受け付け、受け付けた表示モード指示情報を表示モード制御情報に変換して発光輝度制御部１０８に出力する。
【００８３】
画像表示装置２００は、表示モードとして通常表示モードとメタデータＨＤＲ表示モードとを備えている。メタデータＨＤＲ表示モードは、エンコード画像に付加された表示輝度情報に基づいて画像を表示するモードである。画像表示装置２００は、表示モードを指定するための情報がメタデータとして画像データに付加されている場合、画像データからメタデータを抽出し、抽出した結果に基づいて自動的に表示モードを切り替える。
【００８４】
また、画像表示装置２００は、エンコード画像をデコードした結果に基づいて、バックライト制御パラメータ及び画像補正パラメータを算出してもよい。具体的には、発光輝度制御部１０８は、デコード部２０１から入力される表示輝度情報に基づいて、バックライト制御パラメータと画像補正パラメータを算出し、画像補正部１０９とバックライト制御部１１０それぞれに出力する。画像表示装置２００が、入力されるエンコード画像をデコードすることにより表示輝度情報を取得し、取得した情報に基づいてバックライト制御パラメータ及び画像補正パラメータを算出する方法の詳細については後述する。
【００８５】
ここでまず、画像表示装置２００の全体の動作の概要について説明する。
画像表示装置２００は、上述した通り表示モードとして通常表示モードとメタデータＨＤＲ表示モードを備えている。また、拡大モードとして補間拡大処理モードと画素拡大モードを備えている。画像表示装置２００は、補間拡大時は、通常表示モードが指定されていれば「通常表示モード」で画像を表示し、メタデータＨＤＲ表示モードが指定されていれば「メタデータＨＤＲ表示モード」で画像を表示する。一方、画像表示装置２００は、画素拡大を実施する場合は、フォーカス確認に適した表示とするために、「通常表示モード」及び「メタデータＨＤＲ表示モード」とは異なる表示方法とする。
【００８６】
具体的には、画像表示装置２００は、画素拡大時においても、通常表示モードが指定されていれば「通常表示モード」で画像を表示する。しかし、画像表示装置２００は、メタデータＨＤＲ表示モードが指定されている場合は、ＨＤＲ補正部１０７によって補正した態様でＨＤＲ表示を行う「補正ありメタデータＨＤＲ表示モード」で画像を表示する。
以下に、「通常表示モード」、「メタデータＨＤＲ表示モード」、「補正ありメタデータＨＤＲ表示モード」のそれぞれにおけるＨＤＲ補正部１０７及び発光輝度制御部１０８の動作について、具体的な例を示しながら説明する。
【００８７】
まず、説明で使用するエンコード画像の詳細について説明する。
図１７は、エンコード画像の一例を示す図である。図１７のように、エンコード画像は２つのストリームで構成される。エンコード画像に含まれるストリームのうちの１つは通常の画像データであるメインストリームであり、もう１つは表示輝度に関する情報が格納されたサブストリームである。サブストリームには、入力画像を表示する際の発光比率情報、及び当該発光比率で表示を行う際の画像補正係数が格納されている。発光比率情報は、バックライト１１２が出力可能な最大発光輝度を１００％、最低表示輝度を０％とした発光輝度の強度の割合を示す値である。また、画像補正係数は、画像データの階調分布を補正するためのガンマ値である。なお、画像データが動画データである場合、上記の情報は、動画データのフレーム毎に付加されている。
【００８８】
なお、サブストリームには、発光比率情報でなく発光輝度値（例えば１００ｃｄ／ｍ２）が格納されていてもよい。また、画像データが動画データである場合、発光比率情報は、フレーム毎に１つではなく、フレーム内の全画素に対して１つずつ付加されていたり、複数フレーム毎に１つだけ付加されたりしていてもよい。また、画像補正係数はガンマ値ではなく、階調補正を実施するための階調補正ＬＵＴなどであってもよい。
【００８９】
（通常表示モード）
まず、エンコード画像を「通常表示モード」で表示する場合のＨＤＲ補正部１０７及び発光輝度制御部１０８の動作について説明する。
発光輝度制御部１０８は、通常表示モードでは、エンコード画像に付加されている発光比率情報を参照せず、画像データの特徴に応じて発光輝度を決定する。したがって、発光輝度制御部１０８の動作及びＨＤＲ補正部１０７の動作は第１の実施形態と同様の動作となるため、ここでの説明は割愛する。
【００９０】
（メタデータＨＤＲ表示モード）
次に、エンコード画像を、「メタデータＨＤＲ表示モード」で表示する場合の発光輝度制御部１０８の動作及び、ＨＤＲ補正部１０７の動作について説明する。
まず、デコード部２０１は、エンコード画像をデコード処理し、図１７のサブストリームに示した発光輝度比率情報及び画像補正係数を抽出し、発光輝度制御部１０８に出力する。発光輝度制御部１０８は、入力される発光比率情報に基づいてバックライト発光輝度値を決定する。具体的には、発光輝度制御部１０８は、バックライト１１２の最高発光輝度値に、入力された発光比率情報を乗じた値をバックライト発光輝度として算出する。
【００９１】
なお、本実施形態におけるバックライト１１２の最高発光輝度を５０００ｃｄ／ｍ２とする。図１７におけるフレーム６０１では、発光比率情報が８０％であるため、このフレームを表示する時の発光輝度は、最高発光輝度５０００ｃｄ／ｍ２の８０％に相当する４０００ｃｄ／ｍ２となる。なお、バックライト１１２が、複数の分割領域毎にバックライト発光輝度を制御できる場合は、全ての分割領域の発光輝度を４０００ｃｄ／ｍ２とすればよい。
サブストリームに発光比率情報でなく発光輝度値が格納されている場合は、発光輝度制御部１０８は、デコード部２０１が取得した発光輝度値をそのまま出力する。
【００９２】
また、発光輝度制御部１０８は、入力される画像補正係数に応じて画像補正パラメータを生成し、画像補正部１０９に出力する。具体的には、発光輝度制御部１０８は、入力されるガンマ値に基づいて、当該ガンマ値に対応したガンマ曲線を記憶部１１３から読み出して出力する。このようにすることで、表示制御部１０５は、入力画像の階調値を変更して階調分布を変化させることにより、表示輝度を切り替えることができる。
【００９３】
なお、画像補正係数として階調補正ＬＵＴが入力される場合、発光輝度制御部１０８は、入力された階調補正ＬＵＴをそのまま画像補正部１０９に出力する。また、ＨＤＲ補正部１０７は、メタデータＨＤＲ表示モードではバックライト発光輝度及び画像補正パラメータを補正する必要がないため処理を行わない。メタデータＨＤＲ表示モードでは、発光輝度制御部１０８がＨＤＲ補正部１０７の出力を参照しないようにしてもよい。
【００９４】
なお、エンコード画像から抽出可能な表示輝度情報は１つとは限らない。
図１８は、エンコード画像から抽出可能な表示輝度情報の他の例を示す図である。図１８の例においては、１つのエンコード画像に対して、複数の表示輝度情報１８１、及び複数の表示輝度情報１８１の中から画像表示装置１００のバックライト分割形式に適した表示輝度情報を抽出するための分割形式情報１８２が格納されている。分割形式情報１８２においては、分割形式と発光比率の種別とが関連付けられている。
【００９５】
表示輝度情報が図１８に示す内容を含んでいる場合、デコード部２０１は、バックライト１１２の分割形式にあった発光比率情報を選択して取得する。本実施形態では、バックライト１１２は縦２分割、横３分割の６個の分割領域毎に発光輝度を制御可能である。そこで、デコード部２０１はバックライトの分割形式に適した表示輝度情報を抽出するための分割形式情報１８２を参照し、表示輝度情報１８１から、最適な表示輝度情報を選択して出力する。そして、発光輝度制御部１０８は、入力されたバックライト分割領域毎の発光比率情報に基づいて、バックライト１１２の分割領域の発光輝度をそれぞれ決定する。
【００９６】
（補正ありメタデータＨＤＲ表示モード）
次に、エンコード画像を、「補正ありメタデータＨＤＲ表示モード」で表示する場合のＨＤＲ補正部１０７及び発光輝度制御部１０８の動作について説明する。
ＨＤＲ補正部１０７は、第１の実施形態と同様に、表示モードが画素拡大モードである場合、発光輝度制御部１０８の制御方法を切り替えるためのＨＤＲ補正情報を出力する。本実施形態でも、ＨＤＲ補正部１０７は、ＨＤＲ補正情報としてバックライト発光輝度値の上限値と下限値を送信するものとし、上限値は５００ｃｄ／ｍ２、下限値は５０ｃｄ／ｍ２であるとする。
【００９７】
発光輝度制御部１０８は、上限値及び下限値を受信すると、発光比率情報に基づいて算出したバックライト発光輝度を、上限値及び下限値を用いて補正する。本実施形態では、発光比率情報に基づいて算出したバックライト発光輝度は４０００ｃｄ／ｍ２であるが、ＨＤＲ補正部１０７が出力する上限値を上回っているため、これを上限値５００ｃｄ／ｍ２に制限するリミット処理を行う。なお、複数のバックライト分割領域毎に異なる発光輝度が設定されている場合は、最も高い発光輝度を上限値に制限するようにリミット処理すると共に、その他の発光領域についても、同様の比率で発光輝度を抑制する。これにより画面全体の発光輝度のバランスを変えることなく、発光輝度を抑制することができる。
【００９８】
なお、第１の実施形態と同様に、発光輝度制御部１０８が、上記リミット処理後のバックライト発光輝度値に合わせて補正処理を実施してもよい。この場合、発光輝度制御部１０８は、予め実験により取得しておいたバックライト発光輝度毎に適した階調分布に基づいて、入力画像を補正処理する。
【００９９】
以上のように、画像表示装置２００は、エンコード画像にメタデータとして付加された表示輝度に関する情報に基づいてエンコード画像を表示する場合であっても、バックライト１１２を所定の発光輝度値に制御することが可能となる。したがって、仮に画素拡大表示には適さないような高輝度又は低輝度の表示輝度がメタデータとして付加されていた場合であっても、画素拡大表示に適した発光輝度範囲に補正して表示することが可能となる。この結果、画像表示装置２００は、画素拡大画像が高輝度で拡大表示されることを防止できるので、ユーザが眩しくてフォーカス確認が困難になってしまう可能性を低減することが可能となる。また、ユーザが高輝度領域やその近傍を注視することによってフォーカス確認作業効率が低下してしまう可能性も低減することが可能となる。
【０１００】
なお、ＨＤＲ補正部１０７が出力するＨＤＲ補正情報は、バックライト発光輝度値の上限値と下限値に限定されない。例えば、発光輝度制御部１０８は、ＨＤＲ補正情報として、メタデータに基づいて発光輝度を制御せず、第１の実施形態における「補正ＨＤＲ表示モード」と同様に、特徴量及びＨＤＲ補正情報に基づいて発光輝度を制御するモードに切り替えるための制御情報を出力するようにしてもよい。この場合、第１の実施形態と同様に、予め、画素拡大表示に適した発光輝度を実験で測定し、これをＬＵＴとしてＨＤＲ補正部１０７に登録しておいてもよい。そして、発光輝度制御部１０８は、画像データの平均輝度値と、予め登録したＬＵＴを参照してバックライト発光輝度を決定する。
【０１０１】
また、ＨＤＲ補正部１０７は、ＨＤＲ補正情報として、通常表示モードに切り替えるための制御情報を出力するようにしてもよい。この場合も、通常表示モードに切り替わることにより、発光輝度範囲が抑制されるため、ユーザが眩しくてフォーカス確認が困難になってしまう可能性や、高輝度な画素拡大領域やその近傍を注視することによってフォーカス確認作業効率が低減してしまう可能性を低減することが可能となる。
【０１０２】
［画像表示装置２００の処理シーケンス］
図１９は、画像表示装置２００の処理の流れを示すフローチャートである。以下、図１９を参照しながら、画像表示装置２００の処理の流れについて説明する。
まず、デコード部２０１は、画像取得部１０１から入力されるエンコード画像をデコードする（Ｓ２０１）。また、特徴量取得部１０６は、拡大処理及び画像処理がなされた画像データの特徴量を取得する（Ｓ１０２）。
【０１０３】
次に、ＨＤＲ補正部１０７は、表示モードがメタデータに基づく表示モードであるか否かを判定する（Ｓ２０２）。ＨＤＲ補正部１０７は、表示モードが通常表示モードであると判定した場合（Ｓ２０２でＮＯ）、通常表示モード用のＬＵＴを使用してバックライト発光輝度及び画像データ補正パラメータを生成する（Ｓ１０３）。一方、ＨＤＲ補正部１０７は、表示モードがメタデータＨＤＲ表示モードである場合（Ｓ２０２でＹＥＳ）、画素拡大表示中であるか否かに応じて処理を切り替える（Ｓ１０４）。
【０１０４】
ＨＤＲ補正部１０７は、画素拡大処理を実施していないと判定した場合（Ｓ１０４でＮＯ）、デコードされた発光輝度に関する情報を補正することなく、バックライト発光輝度及び画像データ補正パラメータ（補正なしＨＤＲパラメータ）を生成する（Ｓ１０５）。一方、ＨＤＲ補正部１０７は、画素拡大処理を実施していると判定した場合（Ｓ１０４でＹＥＳ）、ＨＤＲ補正部１０７は、発光輝度制御部１０８に対してＨＤＲ補正情報を出力する。発光輝度制御部１０８は、ＨＤＲ補正情報及びＬＵＴに基づいて、バックライト発光輝度及び画像データ補正パラメータを生成する（Ｓ１０６）。
【０１０５】
次に、画像補正部１０９は、入力された補正パラメータに基づいて入力画像を補正し、バックライト制御部１１０は、入力されたパラメータに応じたバックライト発光制御値を出力する（Ｓ１０７）。最後に、表示部１１１が、補正された画像を表示するとともに、バックライト１１２が、制御値に基づいて発光する（Ｓ１０８）。
【０１０６】
以上説明したように、本実施形態の画像表示装置２００は、エンコード画像を、エンコード画像にメタデータとして付加された表示輝度情報に基づいて表示する場合であっても、通常表示時及び補間拡大時と画素拡大時とにおいてＨＤＲ表示形態を切り替えることができる。この結果、ＨＤＲ表示しながら画素拡大表示する際に、ユーザが注視することが困難な発光輝度やエッジ確認が困難な発光輝度で画素拡大表示されることを防ぎ、ＨＤＲ表示中のフォーカス確認作業の利便性を向上させることが可能となる。
【０１０７】
＜第３の実施形態＞
第１の実施形態及び第２の実施形態では、通常表示時及び補間拡大時と画素拡大時とにおいて、ＨＤＲ表示形態を切り替える動作について説明した。本実施形態では、通常表示時とピーキング処理時とでＨＤＲ表示形態を切り替えるという点で、第１の実施形態及び第２の実施形態と異なる。ピーキング処理は、入力画像に含まれている被写体の輪郭を強調する画像を、入力画像に重畳して表示する処理である。
【０１０８】
図２０は、第３の実施形態に係る画像表示装置３００の構成を示す図である。図２０に示すように、画像表示装置３００は、図１に示す拡大処理部１０３の代わりに、輪郭検出部３０１及び強調処理部３０２を有する。なお、図２０において第１の実施形態に係る図１に示した画像表示装置１００と同一の機能部には図１と同じ符号を付し、その説明は省略する。
【０１０９】
画像表示装置３００の画像取得部１０１は、取得した入力画像を輪郭検出部３０１及び強調処理部３０２に出力する。
情報取得部１０２は、リモコン、タッチパネル、カーソル等を介してユーザからのピーキング設定指示情報を取得し、ピーキング設定指示情報に基づいて生成したピーキング制御情報を、強調処理部３０２及びＨＤＲ補正部１０７に出力する。ピーキング設定指示情報は、入力画像内の被写体の輪郭を強調した表示画像を表示部１１１に表示させることを示す輪郭強調情報である。
【０１１０】
なお、ピーキング設定はユーザから指定されることに限定されない。例えば、ピーキング設定情報がメタデータとして画像データに付加されているような場合であれば、情報取得部１０２は、画像データからメタデータを抽出し、抽出したメタデータに基づいてピーキング制御情報を生成してもよい。
【０１１１】
輪郭検出部３０１は、入力画像における輪郭成分を検出する。輪郭検出部３０１は、例えば、入力画像データをバンドパスフィルタに通し、バンドパスフィルタ通過後の画像データに基づいて、輪郭成分を検出することができる。
【０１１２】
強調処理部３０２は、ピーキング制御情報及び輪郭成分に基づいて、入力画像に対してピーキング処理を施して画像処理部１０４に出力する。強調処理部３０２は、ピーキング制御情報が入力されていない場合は、入力画像に対してピーキング処理を施さずに出力する。
【０１１３】
表示制御部１０５は、入力画像内の被写体の輪郭を強調した表示画像を表示部１１１に表示させる場合に、表示部１１１の表示輝度を低くする。表示制御部１０５は、例えば、情報取得部１０２が輪郭強調情報を取得したか否かに基づいて、表示輝度を切り替える。具体的には、表示制御部１０５は、輪郭を強調せずに表示部１１１に表示させる場合に、第１表示輝度になるように表示画像を表示させる。また、表示制御部１０５は、輪郭強調情報に基づいて輪郭を強調して表示部１１１に表示させる場合に、第１表示輝度よりも低い第２表示輝度になるように表示画像を表示させる。
【０１１４】
より具体的には、ＨＤＲ補正部１０７は、情報取得部１０２から出力されるピーキング制御情報を受信し、ピーキング設定が有効か否か、すなわち、画像データに対してピーキング処理が施されているか否かを判定する。ＨＤＲ補正部１０７は、判定結果に応じて、発光輝度制御部１０８が出力する発光輝度制御値を補正するための補正情報を生成して出力する。なお、ＨＤＲ補正部１０７は、情報取得部１０２の出力ではなく、強調処理部３０２や表示画面のレイアウトを管理する管理部（不図示）などからピーキング設定に関する情報を取得してもよい。
【０１１５】
続いて、画像表示装置３００の全体の動作について説明する。
まず、画像表示装置３００は、ピーキング設定が行われていない場合、通常表示モードが指定されていれば「通常表示モード」で画像を表示し、ＨＤＲ表示モードが指定されていれば「ＨＤＲ表示モード」で画像を表示する。
【０１１６】
一方、画像表示装置３００は、ピーキング設定が行われている場合、フォーカス確認に適した表示とするために、通常表示モードが指定されていれば「通常表示モード」で画像を表示するが、ＨＤＲ表示モードが指定されている場合は、ＨＤＲ補正部１０７によってＨＤＲ表示形態を補正した、「補正ＨＤＲ表示モード」で画像を表示する。
なお、本実施形態における「通常表示モード」、「ＨＤＲ表示モード」、「補正ＨＤＲ表示モード」のそれぞれにおけるＨＤＲ補正部１０７及び発光輝度制御部１０８の動作は、第１の実施形態と同様の動作となるため、ここでの説明は省略する。
【０１１７】
図２１は、第３の実施形態に係る画像表示装置３００の動作の一例を示すフローチャートである。以下、画像表示装置３００の処理の流れについて、図２１のフローチャートを参照しながら説明する。
【０１１８】
まず、特徴量取得部１０６は、画像処理部１０４から出力された画像データの特徴量を取得する（Ｓ１０１）。次に、表示モードがＨＤＲ表示モードではなく通常表示モードである場合（Ｓ１０２でＮＯ）、発光輝度制御部１０８は、通常表示モードの用のＬＵＴを使用してバックライト発光輝度及び画像データ補正パラメータを生成する（Ｓ１０３）。一方、表示モードがＨＤＲ表示モードである場合（Ｓ１０２でＹＥＳ）は、発光輝度制御部１０８は、ピーキング設定が有効であるか否かに応じて処理を切り替える。
【０１１９】
ピーキング設定が無効である場合（Ｓ３０１でＮＯ）、発光輝度制御部１０８はＨＤＲ表示モードの用のＬＵＴを使用して、バックライト発光輝度及び画像データ補正パラメータ（補正なしＨＤＲパラメータ）を生成する（Ｓ１０５）。一方、ピーキング設定が有効である場合（Ｓ３０１でＹＥＳ）、発光輝度制御部１０８は、ＨＤＲ補正部１０７によって出力されたＨＤＲ補正情報及びＬＵＴに基づいて、バックライト発光輝度及び画像データ補正パラメータ（補正ありＨＤＲパラメータ）を生成する（Ｓ１０６）。
【０１２０】
次に、画像補正部１０９は、入力された補正パラメータに基づいて入力画像を補正し、バックライト制御部１１０は入力されたパラメータに応じたバックライト発光制御値を出力する（Ｓ１０７）。最後に、表示部１１１が、補正された画像を表示し、バックライト１１２がバックライト発光制御値に基づいて発光する（Ｓ１０８）。
【０１２１】
以上説明したように、本実施形態によれば、通常表示時とピーキング設定時において、ＨＤＲ表示形態を切り替えることができる。この結果、ＨＤＲ表示をしながらピーキング設定を有効にする際に、ユーザが注視することが困難な発光輝度で画像表示されることを防ぎ、ＨＤＲ表示中のフォーカス確認作業の利便性を向上させることが可能となる。
【０１２２】
なお、本実施形態では、画像表示装置３００内でピーキング処理を施した画像に対してＨＤＲ補正を行う例について説明したが、外部機器によってピーキング処理された画像に対してＨＤＲ補正を行うこともできる。具体的には、画像表示装置３００は、外部機器からピーキング処理の有無を示すピーキング制御情報を受け取り、ＨＤＲ補正部１０７が、当該ピーキング制御情報に応じて発光輝度制御部１０８の制御方法を切り替えることで、ＨＤＲ補正を実施する。画像表示装置３００は、画像データとは別系統でピーキング制御情報を取得してもよいし、画像データに重畳されたピーキング制御情報を抽出してもよい。
【０１２３】
また、ＨＤＲ補正部１０７が出力するＨＤＲ補正情報は、第１の実施形態と同様、バックライト発光輝度値の上限値と下限値に限定されない。例えば、予め、フォーカス確認に適した輝度及び階調特性が得られるような画像補正パラメータ及びバックライト発光輝度値を実験で測定し、これをＬＵＴとしてＨＤＲ補正部１０７に登録しておいてもよい。
また、本実施形態では、表示モードがＨＤＲモードの際はピーキング処理に応じて必ずＨＤＲ補正を行う動作を説明したが、画像表示装置３００は、ピーキング処理が行われていてもＨＤＲ補正せずにＨＤＲ表示を維持した動作を行うＨＤＲ強制モードを有してもよい。
【０１２４】
また、画像取得部１０１が、入力画像が、被写体の輪郭を強調するための輪郭強調画像を含むか否かを判定する判定手段として機能し、情報取得部１０２は、判定手段としての画像取得部１０１が入力画像に輪郭強調画像が含まれると判定した結果を輪郭強調情報として取得してもよい。このようにすることで、画像表示装置３００は、ユーザがピーキング設定をすることなく、エッジピーキング画像が重畳された入力画像を取得した場合に、自動的に表示輝度を下げることができる。
【０１２５】
＜第４の実施形態＞
第３の実施形態では、通常表示時とピーキング処理時との間で、ＨＤＲ表示形態を切り替える動作について説明した。
本実施形態では、同じく通常表示時とピーキング処理時とにおいて、メタデータとして付加された表示輝度情報に基づいて画像表示する場合の動作について説明する。表示制御部１０５は、情報取得部１０２が輪郭強調情報を取得していない場合に、表示輝度情報に基づいて、表示部１１１の表示輝度を決定し、情報取得部１０２が輪郭強調情報を取得した場合に、表示輝度情報に基づかないで、表示部１１１の表示輝度を決定する。
【０１２６】
図２２は、第４の実施形態に係る画像表示装置４００の構成を示す図である。図２２に示すように、画像表示装置４００は、図１６に示した画像表示装置２００における拡大処理部１０３の代わりに、輪郭検出部３０１及び強調処理部３０２を有する。
なお、図２２において、第１の実施形態の図１、第２の実施形態の図１６、及び第３の実施形態の図２０と同じ機能部には各々と同じ符号を付し、その説明は省略する。
【０１２７】
デコード部２０１は、画像取得部１０１から入力されるエンコード画像をデコードし、デコードした画像データを輪郭検出部３０１及び強調処理部３０２に出力し、表示輝度に関するメタデータ情報を発光輝度制御部１０８に出力する。
【０１２８】
ここで、画像表示装置４００の全体の動作の概要について説明する。
まず、画像表示装置４００は、ピーキング設定が行われていない場合、通常表示モードが指定されていれば「通常表示モード」で画像を表示し、メタデータＨＤＲ表示モードが指定されていれば「メタデータＨＤＲ表示モード」で画像を表示する。
一方、画像表示装置４００は、ピーキング設定が行われている場合、通常表示モードが指定されていれば「通常表示モード」で画像を表示するが、メタデータＨＤＲ表示モードが指定されている場合は、フォーカス確認に適した表示とするために、ＨＤＲ補正部１０７によってＨＤＲ表示形態を補正した「補正ありメタデータＨＤＲ表示モード」で画像を表示する。
【０１２９】
なお、本実施形態における「通常表示モード」、「メタデータＨＤＲ表示モード」、「補正ありメタデータＨＤＲ表示モード」のそれぞれにおけるＨＤＲ補正部１０７及び発光輝度制御部１０８の動作は、第２の実施形態と同様の動作となるため、ここでの説明は省略する。
【０１３０】
図２３は、第４の実施形態に係る画像表示装置４００の動作の一例を示すフローチャートである。以下、画像表示装置４００の処理シーケンスについて、図２３のフローチャートを用いて説明する。
【０１３１】
まず、デコード部２０１は、画像取得部１０１から入力されるエンコード画像をデコードする（Ｓ２０１）。また、特徴量取得部１０６は、画像処理部１０４から出力された画像データの特徴量を取得する（Ｓ１０１）。
次に、表示モードがメタデータに基づいて表示するモードでなく、通常表示モードである場合（Ｓ２０２でＮＯ）、発光輝度制御部１０８は、通常表示モードの用のＬＵＴを使用してバックライト発光輝度及び画像データ補正パラメータを生成する（Ｓ１０３）。一方、表示モードがメタデータＨＤＲ表示モードである場合（Ｓ２０２でＹＥＳ）、発光輝度制御部１０８は、ピーキング設定が有効であるか否かに応じて処理を切り替える（Ｓ３０１）。
【０１３２】
まず、ピーキング設定が無効である場合（Ｓ３０１でＮＯ）、発光輝度制御部１０８は、デコードされた発光輝度に関する情報に基づいて、バックライト発光輝度及び画像データ補正パラメータを生成する（Ｓ１０５）。一方、ピーキング設定が有効である場合（Ｓ３０１でＹＥＳ）、発光輝度制御部１０８は、ＨＤＲ補正部１０７によって出力されたＨＤＲ補正情報及びＬＵＴに基づいて、発光輝度制御部１０８はバックライト発光輝度及び画像データ補正パラメータを生成する（Ｓ１０６）。
【０１３３】
次に、画像補正部１０９は、入力された補正パラメータに基づいて入力画像を補正し、バックライト制御部１１０は、入力されたパラメータに応じたバックライト発光制御値を出力する（Ｓ１０７）。最後に、表示部１１１が補正された画像を表示し、バックライト１１２がバックライト発光制御値に基づいて発光する（Ｓ１０８）。
【０１３４】
以上説明したように、本実施形態によれば、エンコード画像にメタデータとして付加された表示輝度情報に基づいてエンコード画像を表示する場合であっても、通常表示時とピーキング設定時において、ＨＤＲ表示形態を切り替えることができる。この結果、ＨＤＲ表示しながらピーキング設定を有効にする際に、ユーザが注視することが困難な発光輝度で画素拡大表示されることを防ぎ、ＨＤＲ表示中のフォーカス確認作業の利便性を向上させることが可能となる。
【０１３５】
＜第５の実施形態＞
上記の第１の実施形態〜第４の実施形態における画像取得部１０１、情報取得部１０２、拡大処理部１０３、画像処理部１０４、表示制御部１０５（特徴量取得部１０６、ＨＤＲ補正部１０７、発光輝度制御部１０８、画像補正部１０９及びバックライト制御部１１０）、デコード部２０１、輪郭検出部３０１、強調処理部３０２の各部は、コンピュータ（ＣＰＵ）が記憶媒体に記憶された画像表示用プログラムを実行することにより実現されてもよい。
【０１３６】
以上、本発明を実施の形態を用いて説明したが、本発明の技術的範囲は上記実施の形態に記載の範囲には限定されず、その要旨の範囲内で種々の変形及び変更が可能である。
【符号の説明】
【０１３７】
１００  画像表示装置
１０１  画像取得部
１０２  情報取得部
１０５  表示制御部
１１１  表示部
【図１】
0006758891.tif 000002
【図２】
0006758891.tif 000003
【図３】
0006758891.tif 000004
【図４】
0006758891.tif 000005
【図５】
0006758891.tif 000006
【図６】
0006758891.tif 000007
【図７】
0006758891.tif 000008
【図８】
0006758891.tif 000009
【図９】
0006758891.tif 000010
【図１０】
0006758891.tif 000011
【図１１】
0006758891.tif 000012
【図１２】
0006758891.tif 000013
【図１３】
0006758891.tif 000014
【図１４】
0006758891.tif 000015
【図１５】
0006758891.tif 000016
【図１６】
0006758891.tif 000017
【図１７】
0006758891.tif 000018
【図１８】
0006758891.tif 000019
【図１９】
0006758891.tif 000020
【図２０】
0006758891.tif 000021
【図２１】
0006758891.tif 000022
【図２２】
0006758891.tif 000023
【図２３】
0006758891.tif 000024